(57)【特許請求の範囲】
【請求項１】
直流電力を交流電力に変換するパワーコンディショナの出力によって充電される蓄電装置を制御する電力制御装置であって、
前記パワーコンディショナが備えるＤＣ／ＤＣコンバータとＤＣ／ＡＣコンバータの間の電圧である中間リンク電圧の値を取得する取得部と、
前記中間リンク電圧の値に応じて、前記蓄電装置が前記パワーコンディショナから引き込む充電電力を制御する制御部とを備え、
前記制御部は、
前記中間リンク電圧の値が第１の閾値以下である場合に、前記充電電力を低減させるように前記蓄電装置を制御し、
所定の期間において前記中間リンク電圧の値が前記第１の閾値よりも高い値である第２の閾値以下となる場合に、前記充電電力を低減させるように前記蓄電装置を制御することを特徴とする電力制御装置。
【請求項２】
請求項１に記載の電力制御装置において、前記制御部は、前記中間リンク電圧の値が第３の閾値以上である場合に、前記充電電力を増加させるように前記蓄電装置を制御することを特徴とする電力制御装置。
【請求項３】
請求項１に記載の電力制御装置において、前記制御部は、前記中間リンク電圧の値と複数の閾値とを比較し、前記中間リンク電圧の値に応じて、前記蓄電装置の前記充電電力を段階的に制御することを特徴とする電力制御装置。
【請求項４】
請求項１に記載の電力制御装置において、
前記取得部は、さらに前記ＤＣ／ＤＣコンバータの入力電圧を取得し、
前記制御部は、前記ＤＣ／ＤＣコンバータの入力電圧の平均値が増加傾向であり、かつ、前記中間リンク電圧の値が低下している場合に、前記充電電力を低減させるように前記蓄電装置を制御することを特徴とする電力制御装置。
【請求項５】
請求項１に記載の電力制御装置において、
前記制御部は、
取得した前記中間リンク電圧の値である中間リンク電圧Ｎを、前回に取得した中間リンク電圧の値である中間リンク電圧Ｘと比較し、
前記中間リンク電圧Ｎが前記中間リンク電圧Ｘより大きい場合は、前記充電電力を増加させるように前記蓄電装置を制御し、
前記中間リンク電圧Ｎが前記中間リンク電圧Ｘより小さい場合は、前記充電電力を減少させるように前記蓄電装置を制御し、
前記中間リンク電圧Ｎと前記中間リンク電圧Ｘとが等しい場合は、前記充電電力を維持するように前記蓄電装置を制御することを特徴とする電力制御装置。
【請求項６】
請求項１から５のいずれか一項に記載の電力制御装置において、前記制御部は、前記蓄電装置の充電電力を制御する際に、前記パワーコンディショナに、過負荷保護動作の開始を抑制するための過負荷保護動作のキャンセル信号を送信することを特徴とする電力制御装置。
【請求項７】
請求項１から６のいずれか一項に記載の電力制御装置を備えるパワーコンディショナ。
【請求項８】
請求項１から６のいずれか一項に記載の電力制御装置を備える蓄電装置。
【請求項９】
直流電力を交流電力に変換するパワーコンディショナの出力によって充電される蓄電装置を制御する電力制御方法であって、
前記パワーコンディショナが備えるＤＣ／ＤＣコンバータとＤＣ／ＡＣコンバータの間の電圧である中間リンク電圧の値を取得するステップと、
前記中間リンク電圧の値に応じて、前記蓄電装置が前記パワーコンディショナから引き込む充電電力を制御するステップとを含み、
前記制御するステップは、
前記中間リンク電圧の値が第１の閾値以下である場合に、前記充電電力を低減させるように前記蓄電装置を制御するステップと、
所定の期間において前記中間リンク電圧の値が前記第１の閾値よりも高い値である第２の閾値以下となる場合に、前記充電電力を低減させるように前記蓄電装置を制御するステップとを含むことを特徴とする電力制御方法。
【発明の詳細な説明】
【技術分野】
【０００１】
本発明は、電力制御装置、パワーコンディショナ、蓄電装置及び電力制御方法に関するものである。
【背景技術】
【０００２】
近年、太陽光発電システムと蓄電装置とを系統に連系させた電力システムが普及しつつある。このような電力システムにおいては、系統が停電した場合、自立運転を行い、太陽光発電システムの自立運転出力を用いて蓄電装置を充電することができる。
【０００３】
この場合、蓄電装置は、太陽光発電システムの発電量に関わらず一定の充電電力を太陽光発電システムから引き込む。しかしながら、太陽光発電システムの発電電力が不足しており、太陽光発電システムの発電電力が蓄電装置の引き込む充電電力を下回った場合に、太陽光発電システムが過負荷により停止してしまうという問題があった。
【０００４】
このように、太陽光発電システムは、過負荷になると、自己の保護のため停止するが、一旦停止すると、安全のため所定の時間が経過してから復帰する。そのため、復帰するまでの間の太陽光発電システムの発電電力が無駄になっていた。また、太陽光発電システムの自立運転時に出力が成される自立運転出力端子に他の負荷機器が接続されている場合、復帰するまでの間は、他の負荷機器にも電力が供給されない状態になっていた。
【０００５】
上記問題に対応するため、太陽光発電システムが出力する交流電力の電圧を検出し、当該電圧が低下した場合に蓄電装置が引き込む充電電力を低減させるように制御する発明が提案されている（特許文献１参照）。
【先行技術文献】
【特許文献】
【０００６】
【特許文献１】特開２０１４−０７５８５４号公報
【発明の概要】
【発明が解決しようとする課題】
【０００７】
しかしながら、特許文献１に記載の発明は、太陽光発電システムの出力が実際に下がりだしてから蓄電装置が引き込む充電電力を低減させるように制御するため、太陽光発電システムが過負荷に対する保護のために停止を開始するまでの時間に対するマージンが少ないという問題があった。
【０００８】
かかる点に鑑みてなされた本発明の目的は、太陽光発電システムや燃料電池システム等の発電装置が自立運転出力を用いて蓄電装置を充電する際に、過負荷による太陽光発電システムの停止を防ぐように、時間的なマージンを持って蓄電装置を制御することができる電力制御装置、パワーコンディショナ、蓄電装置及び電力制御方法を提供することにある。
【課題を解決するための手段】
【０００９】
本発明の実施形態に係る電力制御装置は、直流電力を交流電力に変換するパワーコンディショナの出力によって充電される蓄電装置を制御する電力制御装置であって、前記パワーコンディショナが備えるＤＣ／ＤＣコンバータとＤＣ／ＡＣコンバータ（インバータ）の間の電圧である中間リンク電圧の値を取得する取得部と、前記中間リンク電圧の値に応じて、前記蓄電装置が前記パワーコンディショナから引き込む充電電力を制御する制御部とを備え、前記制御部は、前記中間リンク電圧の値が第１の閾値以下である場合に、前記充電電力を低減させるように前記蓄電装置を制御し、所定の期間において前記中間リンク電圧の値が前記第１の閾値よりも高い値である第２の閾値以下となる場合に、前記充電電力を低減させるように前記蓄電装置を制御することを特徴とするものである。
【００１０】
また、本発明の実施形態に係るパワーコンディショナは、直流電力を交流電力に変換するパワーコンディショナの出力によって充電される蓄電装置を制御する電力制御装置を備えている。前記電力制御装置は、前記パワーコンディショナが備えるＤＣ／ＤＣコンバータとＤＣ／ＡＣコンバータの間の電圧である中間リンク電圧の値を取得する取得部と、前記中間リンク電圧の値に応じて、前記蓄電装置が前記パワーコンディショナから引き込む充電電力を制御する制御部とを備え、前記制御部は、前記中間リンク電圧の値が第１の閾値以下である場合に、前記充電電力を低減させるように前記蓄電装置を制御し、所定の期間において前記中間リンク電圧の値が前記第１の閾値よりも高い値である第２の閾値以下となる場合に、前記充電電力を低減させるように前記蓄電装置を制御することを特徴とするものである。
【００１１】
また、本発明の実施形態に係る蓄電装置は、直流電力を交流電力に変換するパワーコンディショナの出力によって充電される蓄電装置を制御する電力制御装置を備えている。前記電力制御装置は、前記パワーコンディショナが備えるＤＣ／ＤＣコンバータとＤＣ／ＡＣコンバータの間の電圧である中間リンク電圧の値を取得する取得部と、前記中間リンク電圧の値に応じて、前記蓄電装置が前記パワーコンディショナから引き込む充電電力を制御する制御部とを備え、前記制御部は、前記中間リンク電圧の値が第１の閾値以下である場合に、前記充電電力を低減させるように前記蓄電装置を制御し、所定の期間において前記中間リンク電圧の値が前記第１の閾値よりも高い値である第２の閾値以下となる場合に、前記充電電力を低減させるように前記蓄電装置を制御することを特徴とするものである。
【００１２】
また、本発明の実施形態に係る電力制御方法は、直流電力を交流電力に変換するパワーコンディショナの出力によって充電される蓄電装置を制御する電力制御方法であって、前記パワーコンディショナが備えるＤＣ／ＤＣコンバータとＤＣ／ＡＣコンバータの間の電圧である中間リンク電圧の値を取得するステップと、前記中間リンク電圧の値に応じて、前記蓄電装置が前記パワーコンディショナから引き込む充電電力を制御するステップとを含み、前記制御するステップは、前記中間リンク電圧の値が第１の閾値以下である場合に、前記充電電力を低減させるように前記蓄電装置を制御するステップと、所定の期間において前記中間リンク電圧の値が前記第１の閾値よりも高い値である第２の閾値以下となる場合に、前記充電電力を低減させるように前記蓄電装置を制御するステップとを含むことを特徴とするものである。
【発明の効果】
【００１３】
本発明に係る電力制御装置、パワーコンディショナ、蓄電装置及び電力制御方法によれば、発電装置が自立運転出力を用いて蓄電装置を充電する際に、発電装置の停止を防ぐように、時間的なマージンを持って蓄電装置を制御することができる。
【図面の簡単な説明】
【００１４】
【図１】本発明の第１実施形態に係る電力制御システムの概略構成を示す図である。
【図２】中間リンク電圧の値に応じて蓄電装置を段階制御する場合の一例を示す図である。
【図３】本発明の第１実施形態に係る電力制御システムの動作の一例を示すフローチャートである。
【図４】本発明の第２実施形態に係る電力制御システムの概略構成を示す図である。
【図５】本発明の第３実施形態に係る電力制御システムの概略構成を示す図である。
【発明を実施するための形態】
【００１５】
以下、本発明の実施形態について、図面を参照して説明する。
【００１６】
［第１実施形態］
図１は、本発明の第１実施形態に係る電力制御システム１０の概略構成を示す図である。電力制御システム１０は、パワーコンディショナ１００、蓄電装置２００、電力制御装置３００、太陽電池４００及び負荷機器５００を備える。図１において、各機能ブロックを結ぶ実線は電力線を示し、破線は通信線を示す。通信線が示す接続は、有線接続であってもよいし、無線接続であってもよい。
【００１７】
図１は、系統が停電もしくは意図的に解列していて自立運転をしている状態における動作を説明するための図である。そのため、図１においては、パワーコンディショナ１００と系統との接続、及び、蓄電装置２００と系統との接続は、記載を省略している。
【００１８】
パワーコンディショナ１００は、太陽電池４００が発電した直流電力を交流電力に変換し、交流電力を蓄電装置２００に供給して蓄電池２０２を充電する。パワーコンディショナ１００は、ＤＣ／ＤＣコンバータ１０１、ＤＣ／ＡＣコンバータ１０２及び検出部１０３を備える。
【００１９】
ＤＣ／ＤＣコンバータ１０１は、太陽電池４００から供給される直流電力の電圧を昇圧又は降圧してＤＣ／ＡＣコンバータ１０２に供給する。
【００２０】
ＤＣ／ＡＣコンバータ１０２はインバータとも称されるものであり、直流電力を交流電力に変換し、蓄電装置２００に供給する。停電時においては、ＤＣ／ＡＣコンバータ１０２は、自立運転出力端子から交流電力を出力し、蓄電装置２００及び負荷機器５００に交流電力を供給する。
【００２１】
なお、図１においては、負荷機器５００が１台の例を示しているが、これは一例であり、負荷機器５００は、パワーコンディショナ１００の自立運転出力端子に接続されていなくてもよいし、複数の負荷機器５００が接続されていてもよい。
【００２２】
検出部１０３は、ＤＣ／ＤＣコンバータ１０１とＤＣ／ＡＣコンバータ１０２の間の電圧である中間リンク電圧を検出する。ここで、「中間リンク電圧」は、ＤＣ／ＤＣコンバータ１０１の出力電圧であり、また、ＤＣ／ＡＣコンバータ１０２への入力電圧である。したがって、中間リンク電圧は直流電圧である。また、検出部１０３は、検出した中間リンク電圧の値を電力制御装置３００に送信する。
【００２３】
蓄電装置２００は、蓄電池パワーコンディショナ２０１及び蓄電池２０２を備える。
【００２４】
蓄電池パワーコンディショナ２０１は、パワーコンディショナ１００の自立運転出力端子に接続されており、ＤＣ／ＡＣコンバータ１０２の出力から充電電力を引き込む。蓄電池パワーコンディショナ２０１は、ＤＣ／ＡＣコンバータ１０２から供給される交流電力を直流電力に変換し、蓄電池２０２に供給する。蓄電池パワーコンディショナ２０１は、電力制御装置３００による制御によって、パワーコンディショナ１００から引き込む充電電力の量を複数段階に制御することができる。
【００２５】
蓄電池２０２は、蓄電池パワーコンディショナ２０１から供給される直流電力によって充電される。
【００２６】
電力制御装置３００は、例えば有線又は無線ＬＡＮ（Local Area Network）によって、パワーコンディショナ１００及び蓄電装置２００と接続されている。電力制御装置３００は、パワーコンディショナ１００及び蓄電装置２００と所定の通信プロトコルにより通信可能である。通信プロトコルとしては、例えばＥＣＨＯＮＥＴ  Ｌｉｔｅ（登録商標）などを用いることができる。電力制御装置３００は、ＥＣＨＯＮＥＴ  Ｌｉｔｅによる通信によって、各種機器の情報を取得することもできるし、各種機器を制御することもできる。なお、ＥＣＨＯＮＥＴ  Ｌｉｔｅはあくまで一例であって、他の通信プロトコルであってもよい。また、電力制御装置３００の機能とパワーコンディショナ１００の機能とを備えた装置を用いてもよい。この場合には、電力制御装置３００とパワーコンディショナ１００との間の通信は不要となる。また、電力制御装置３００の機能と蓄電装置２００の機能とを備えた装置を用いてもよい。この場合には、電力制御装置３００と蓄電装置２００との間の通信は不要となる。
【００２７】
電力制御装置３００は、取得部３０１及び制御部３０２を備える。
【００２８】
取得部３０１は、検出部１０３から、パワーコンディショナ１００の中間リンク電圧の値を取得する。
【００２９】
制御部３０２は、取得部３０１が取得した中間リンク電圧の値に応じて、蓄電装置２００に対し有線又は無線ＬＡＮを用いてパワーコンディショナ１００から引き込む充電電力を制御するよう指令を送出する。なお、本実施形態において、充電電力の直接的な制御は蓄電装置２００で実行するものであるから、電力制御装置３００が指令のみを送出する制御形態として説明するが、電力制御装置３００が蓄電装置２００の充電制御を直接制御できる制御プログラムを組み込んでおき、充電電力を直接制御する信号を送出する制御形態であってもよい。
【００３０】
制御部３０２は、例えば、中間リンク電圧の値が所定の閾値（請求項における「第１の閾値」）以下である場合に、蓄電装置２００がパワーコンディショナ１００から引き込む充電電力を低減させるように制御する。例えば、自立運転出力端子が単相二線で交流１００［Ｖ］を出力する場合の中間リンク電圧の値は、２４０〜２５０［Ｖ］が理想的な範囲であれば、第１の閾値は２３９［Ｖ］とすればよい。なお、中間リンク電圧の値や許容電圧範囲の最低電圧値は、出力の安定を重視して設定されているか（最低電圧値が高め）、過負荷への抵抗力を重視しているか（最低電圧値が低め）といった設計思想がパワーコンディショナによって異なる。それゆえ、第１の閾値を設定する場合は、必ずしも許容電圧範囲の最低電圧値以下でなくてもよい。具体的には、上述の例では２３９［Ｖ］としたが、２４１[Ｖ]としてもよい。
【００３１】
また、制御部３０２は、例えば、所定の期間（例えば、数ミリ秒〜１秒）において中間リンク電圧の値が所定の閾値（請求項における「第２の閾値」）以下となる場合に、蓄電装置２００に対してパワーコンディショナ１００から引き込む充電電力を低減させる指令を送出する。第２の閾値は、第１の閾値よりも高い電圧値が設定されている。すなわち、第２の閾値は、パワーコンディショナ１００が過負荷によって出力が停止する電圧値よりも高い電圧値が設定されている。具体的に、第１の閾値が２３９［Ｖ］であれば、第２の閾値は２４１［Ｖ］にすればよい。
【００３２】
本実施形態では、中間リンク電圧が所定の期間において第２の閾値以下に低下したことが確認された場合に、急速な電圧低下が発生していると予測できる。このような電圧低下としては、例えば、天候不順による太陽光発電システムの発電電力の低下が原因として挙げられる。このような急速な電圧低下が生じたと判定された場合には、中間リンク電圧が第１の閾値以上の電圧値であっても、制御部３０２から蓄電装置２００に対して引き込む充電電力を低減させる指令を送出する。これにより、急速な電圧低下によって、第１の閾値以下になる前に蓄電装置２００に対してパワーコンディショナ１００から引き込む充電電力を低減させる指令を送出可能となる。その結果、急速な電圧低下によるパワーコンディショナ１００の過負荷による停止の発生を低減できる。
【００３３】
また、本実施形態において、第２の閾値を第１の閾値に近い電圧値に設定する場合は、中間リンク電圧が第２の閾値から第１の閾値まで低下する時間が短くなるため、上述の所定の期間を短く設定しておけばよい。この方法であれば、中間リンク電圧の低下を比較的早期に検知できるため、蓄電装置２００に迅速に指令を送出することができる。
【００３４】
また、制御部３０２は、パワーコンディショナ１００の過負荷による停止を防ぐだけでなく、太陽電池４００の発電電力に余裕がある場合に、蓄電装置２００を急速充電できるように制御してもよい。例えば、制御部３０２は、中間リンク電圧の値が所定の値（請求項における「第３の閾値」）以上である場合は、太陽電池４００の発電電力に余裕があると判断し、蓄電装置２００がパワーコンディショナ１００から引き込む充電電力を増加させるように制御してもよい。例えば、中間リンク電圧の値を２４０〜２５０［Ｖ］とした場合、２５０[Ｖ]を第３の閾値と設定して、それ以上の電圧値であれば、電力制御装置３００は蓄電装置２００に対し、引き込む充電電力を７[ｋＷ]から１０[ｋＷ]に増加させる許可の信号を送出する。蓄電装置２００は充電に用いることのできる電力を増やすことができるため、通常充電モードを急速充電モードに変えるなどして、蓄電池２０２の充電が完了する時間を通常よりも短縮できる。
【００３５】
このように、本実施形態によれば、電力制御装置３００の制御部３０２は、中間リンク電圧の値に応じて、蓄電装置２００がパワーコンディショナ１００から引き込む充電電力を制御する。例えば、制御部３０２は、中間リンク電圧の値が所定の閾値（第１の閾値）以下である場合、又は、所定の期間において中間リンク電圧の値が所定の閾値（第２の閾値）以下である場合に、充電電力を低減させるように蓄電装置２００を制御する。これにより、電力制御装置３００は、自立運転時に太陽電池４００の発電電力で蓄電装置２００を充電する際に、過負荷によるパワーコンディショナ１００の停止を防ぐように、時間的なマージンを持って蓄電装置２００を制御することができる。なお、本実施形態では、第３の閾値を中間リンク電圧の最高値以上としたが、蓄電装置２００が引き込む充電電力の増加が中間リンク電圧を下げない（引き込む充電電流が少ない）電力値であれば、中間リンク電圧の電圧範囲内の値を用いてもよい。
【００３６】
このように、本実施形態においては、ＤＣ／ＡＣコンバータ１０２の出力電圧ではなく、中間リンク電圧の値に応じて蓄電装置２００を制御する。ＤＣ／ＡＣコンバータ１０２は、中間リンク電圧が下がっても、蓄積された電力によって一時的に出力電圧を維持することができる。したがって、中間リンク電圧の値を取得することにより、実際に蓄電装置２００に供給される電圧の低下が開始するよりも早く、過負荷による電圧低下の兆候を検出して、時間的なマージンを持って蓄電装置２００を制御することができる。これにより、ＤＣ／ＡＣコンバータ１０２の出力電圧の低下による負荷機器５００の瞬停を防ぐことができる可能性が高くなる。
【００３７】
また、通常、直流電圧である中間リンク電圧の値は、ＤＣ／ＡＣコンバータ１０２が出力する交流電圧の２倍程度の電圧である。したがって、中間リンク電圧は、ＤＣ／ＡＣコンバータ１０２が出力する交流電圧に比べて電圧変化を検出しやすく、２倍程度の分解能で変化を検出することができる。よって、本実施形態では、ＤＣ／ＡＣコンバータ１０２の出力電圧の値に応じて蓄電装置２００を制御する方法に比べて、より高精度な制御が可能となる。これにより、本実施形態では、太陽光発電システム等の発電装置の過負荷による停止の発生を低減できる。
【００３８】
また、制御部３０２が、中間リンク電圧の値が所定の閾値（第３の閾値）以上である場合に、充電電力を増加させるように蓄電装置２００を制御することにより、太陽電池４００の発電電力に余裕がある場合は、蓄電装置２００を急速に充電することができる。
【００３９】
（蓄電装置の段階制御）
制御部３０２は、複数の閾値を設定しておき、複数の閾値と中間リンク電圧の値とを比較して、中間リンク電圧の値に応じて、蓄電装置２００を段階的に制御してもよい。図２に、複数の閾値と、それに応じた蓄電装置２００の制御の一例を示す。図２に示す例は、パワーコンディショナ１００が、中間リンク電圧の値が２３０〜２５０Ｖになるように設計されている場合の例である。
【００４０】
図２に示す例においては、制御部３０２は、中間リンク電圧の値が２３０Ｖ以下である場合は、充電動作を不許可とし、蓄電装置２００がパワーコンディショナ１００から充電電力を引き込まないように制御する。
【００４１】
また、制御部３０２は、中間リンク電圧の値が２３０〜２３５Ｖである場合は、蓄電装置２００がパワーコンディショナ１００から引き込む充電電力を低減させるように制御する。
【００４２】
また、制御部３０２は、中間リンク電圧の値が２３５〜２４５Ｖである場合は、蓄電装置２００がパワーコンディショナ１００から通常の充電電力を引き込むように制御する。
【００４３】
また、制御部３０２は、中間リンク電圧の値が２４５〜２５５Ｖである場合は、急速充電モードで蓄電装置２００を動作させ、蓄電装置２００がパワーコンディショナ１００から引き込む充電電力を増加させるように制御する。
【００４４】
このように、制御部３０２が、中間リンク電圧の値と複数の閾値とを比較し、中間リンク電圧の値に応じて、蓄電装置２００の充電電力を段階的に制御することにより、電力制御装置３００は、よりきめ細やかに蓄電装置２００を制御することができる。
【００４５】
（太陽電池出力と中間リンク電圧を組み合わせて判定）
電力制御装置３００の制御部３０２は、太陽電池４００の出力電圧と中間リンク電圧とを組み合わせた判定により蓄電装置２００を制御してもよい。
【００４６】
パワーコンディショナ１００の検出部１０３は、太陽電池４００の出力電圧（すなわち、ＤＣ／ＤＣコンバータ１０１の入力電圧）、及び中間リンク電圧を検出し、検出した電圧を電力制御装置３００に送信する。
【００４７】
制御部３０２は、太陽電池４００の出力電圧の所定の期間における平均値を算出し、出力電圧の平均値が増加傾向であるか減少傾向であるかを判定する。
【００４８】
ここで、太陽電池４００の出力電圧の平均値が増加傾向であるにも関わらず、中間リンク電圧が低下している場合は、発電電力は増加傾向であっても蓄電装置２００に充電するための充電電力が十分に取得できないことを示唆しているため、過負荷状態になり得ると判断できる。
【００４９】
したがって、制御部３０２は、太陽電池４００の出力電圧の平均値が増加傾向であり、かつ、中間リンク電圧が低下している場合、蓄電装置２００がパワーコンディショナ１００から引き込む充電電力を低減させるように制御する。
【００５０】
このように、制御部３０２が、太陽電池４００の出力電圧と中間リンク電圧とを組み合わせて過負荷状態であるか否かを判定することにより、過負荷状態になったことをより迅速に検出して、蓄電装置２００を制御することができる。
【００５１】
（中間リンク電圧の変動に基づく制御）
制御部３０２は、中間リンク電圧の値を閾値と比較するだけではなく、前回取得した中間リンク電圧の値と比較して、蓄電装置２００がパワーコンディショナ１００から引き込む充電電力を制御してもよい。このような制御をする場合のフローチャートの一例を図３に示す。
【００５２】
電力制御システム１０は、系統が停電すると自立運転に移行する（ステップＳ１０１）。
【００５３】
電力制御装置３００の取得部３０１は、パワーコンディショナ１００から中間リンク電圧Ｎを取得する（ステップＳ１０２）。
【００５４】
電力制御装置３００の制御部３０２は、今回取得した中間リンク電圧Ｎが前回取得した中間リンク電圧Ｘよりも大きいか否かを判定する（ステップＳ１０３）。
【００５５】
ステップＳ１０３においてＹｅｓと判定した場合、制御部３０２は、蓄電装置２００の充電電力を増加させる（ステップＳ１０４）。
【００５６】
ステップＳ１０３においてＮｏと判定した場合、制御部３０２は、今回取得した中間リンク電圧Ｎが前回取得した中間リンク電圧Ｘよりも小さいか否かを判定する（ステップＳ１０５）。
【００５７】
ステップＳ１０５においてＹｅｓと判定した場合、制御部３０２は、蓄電装置２００の充電電力を減少させる（ステップＳ１０６）。
【００５８】
ステップＳ１０５においてＮｏと判定した場合、すなわち今回取得した中間リンク電圧Ｎと前回取得した中間リンク電圧Ｘとが等しい場合は、制御部３０２は、蓄電装置２００の充電電力を現状のまま維持する（ステップＳ１０７）。
【００５９】
ステップＳ１０４、ステップＳ１０６又はステップＳ１０７を実行すると、制御部３０２は、中間リンク電圧Ｎを中間リンク電圧Ｘに置き換え（ステップＳ１０８）、ステップＳ１０２に戻る。
【００６０】
このように前回の中間リンク電圧に対する電圧の上昇もしくは降下に応じて充電電力の増減を行うことで、第１〜第３閾値とそれぞれ比較するよりも少ない判定回数で、より早く蓄電装置２００の引き込む充電電力の制御を行うことが可能となる。
【００６１】
（過負荷保護動作のキャンセル信号の送信）
電力制御装置３００の制御部３０２は、蓄電装置２００がパワーコンディショナ１００から引き込む充電電力を制御する際、併せて、パワーコンディショナ１００に、蓄電装置２００の制御が完了するまでは過負荷保護動作の開始を抑制するように、過負荷保護動作のキャンセル信号（いわゆる待機信号）を送信してもよい。このとき、蓄電装置２００のエラー等で充電電力の制御完了が遅れる場合を考慮し、信号の有効時間を１〜１０秒程度に制限する保護を設定しておいてもよい。
【００６２】
［第２実施形態］
図４は、本発明の第２実施形態に係る電力制御システム２０の概略構成を示す図である。電力制御システム２０は、パワーコンディショナ１５０、蓄電装置２００、太陽電池４００及び負荷機器５００を備える。
【００６３】
第２実施形態に係る電力制御システム２０は、電力制御装置３００がパワーコンディショナ１５０に含まれており、パワーコンディショナ１５０が蓄電装置２００を直接制御する点で、第１実施形態に係る電力制御システム２０と異なる。その他の点については、第２実施形態に係る電力制御システム２０は、第１実施形態に係る電力制御システム１０と同様であるため、説明を省略する。
【００６４】
［第３実施形態］
図５は、本発明の第３実施形態に係る電力制御システム３０の概略構成を示す図である。電力制御システム３０は、パワーコンディショナ１００、蓄電装置２５０、太陽電池４００及び負荷機器５００を備える。
【００６５】
第３実施形態に係る電力制御システム３０は、電力制御装置３００が蓄電装置２５０に含まれており、蓄電装置２５０がパワーコンディショナ１００から中間リンク電圧を直接取得して、取得した中間リンク電圧の値に応じて蓄電装置２５０の充電電力を制御する点で、第１実施形態に係る電力制御システム１０と異なる。その他の点については、第３実施形態に係る電力制御システム３０は、第１実施形態に係る電力制御システム１０と同様であるため、説明を省略する。
【００６６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【００６７】
また、本実施形態においては、太陽電池による発電電力で蓄電装置を充電する場合を例に挙げて説明したが、他のエネルギーによって蓄電装置を充電してもよい。例えば、風力発電や燃料電池による発電電力で蓄電装置を充電してもよい。
【符号の説明】
【００６８】
１０、２０、３０  電力制御システム
１００  パワーコンディショナ
１０１  ＤＣ／ＤＣコンバータ
１０２  ＤＣ／ＡＣコンバータ
１０３  検出部
１５０  パワーコンディショナ
２００  蓄電装置
２０１  蓄電池パワーコンディショナ
２０２  蓄電池
２５０  蓄電装置
３００  電力制御装置
３０１  取得部
３０２  制御部
４００  太陽電池
５００  負荷機器
【図１】
0006378570.tif 000002
【図２】
0006378570.tif 000003
【図３】
0006378570.tif 000004
【図４】
0006378570.tif 000005
【図５】
0006378570.tif 000006